(57)【要約】【課題】従来の回転洗浄方式の問題点を解決し得る，新たな洗浄方法ならびに洗浄装置の提供。【課題を解決するための手段】被洗浄物を，上方および下方，または左側および右側などの，二方向から覆うことにより，被洗浄物を固定するための被洗浄物固定手段（１０，２０）と，被洗浄物の洗浄を行う洗浄手段（３０）とを備え，前記洗浄手段（３０）は，被洗浄物に対して近接および離間が可能であり，かつ，流体の噴射機構（６０）と回収機構（７０）を備えた洗浄器具により，被洗浄物の洗浄がなされることを特徴とする洗浄方法，ならびにこの洗浄方法を具現化した洗浄装置。【選択図】図１
2013099882.tif 000002
【特許請求の範囲】
【請求項１】
被洗浄物を，上方および下方，または左側および右側などの，二方向から覆うことにより，被洗浄物を固定するための被洗浄物固定手段と，
被洗浄物の洗浄を行う洗浄手段とを備え，
前記被洗浄物固定手段において，通水孔を備えた固定具により被洗浄物が固定されており，
前記洗浄手段は，被洗浄物に対して近接および離間が可能であり，かつ，流体の噴射機構と回収機構を備えた洗浄器具により，通水孔を備えた固定具を通じて，流体の噴射および回収を被洗浄物に対して行うことにより，被洗浄物の洗浄がなされることを特徴とする洗浄方法
【請求項２】
前記被洗浄物固定手段が，
被洗浄物を支持するためのプレートと，
前記プレートに支持された被洗浄物を反対方向から覆うことにより前記プレートとの間に被洗浄物を固定するためのカバーとによりなされることを特徴とする請求項１に記載の洗浄方法
【請求項３】
被洗浄物を支持するためのプレートと，
前記プレートに支持された被洗浄物を，前記プレートの反対方向から覆うことにより前記プレートとの間に被洗浄物を固定するためのカバーと，
前記プレートに支持された被洗浄物を覆う前記カバーに対して近接および離間が可能なノズルと，
前記ノズルに流体を供給する流体供給機構と，
前記ノズルに供給された流体を回収する流体回収機構，
を備え，
前記カバーは，前記ノズルに供給された流体を表側から裏側に通すための通水孔を備え，
前記流体回収機構は，前記カバーの裏側において被洗浄物に接触した流体を前記通水孔を通して前記カバーの表側に吸引し，前記ノズルを通して回収することを特徴とする洗浄装置
【請求項４】
前記カバーが，
被洗浄物の固定時に前記プレートの外縁を囲む枠と，
前記枠体の内側に設けられ，被洗浄物の固定時に前記プレートに対して被洗浄物を弾性的に固定する網，
とから構成されていることを特徴とする請求項３に記載の洗浄装置
【請求項５】
前記プレートが，被洗浄物に接触した流体を前記被洗浄物の裏側から吸引するための吸引孔を備えたことを特徴とする請求項３または４に記載の洗浄装置
【請求項６】
前記プレートが，ステンレス鋼により構成されることを特徴とする請求項３ないし５に記載の洗浄装置
【請求項７】
前記網が，ポリテトラフルオロエチレンからなることを特徴とする請求項３から６に記載の洗浄装置
【請求項８】
請求項３ないし７の何れかに記載の洗浄装置に用いるための交換用プレート。
【請求項９】
請求項３ないし７の何れかに記載の洗浄装置に用いるための交換用カバー。
【発明の詳細な説明】
【技術分野】
【０００１】
本発明は，新規な衣類等の洗浄方法ならびに洗浄装置に関する。
【背景技術】
【０００２】
クリーニング方法は，ドライクリーニング方式とウェットクリーニング方式に大別される。このクリーニング方法に関して，ドライクリーニング方式をウェットクリーニング方式へ移行する試みがなされている（特許文献１）。【０００３】
この背景として，有機溶剤の使用の有無が関係している。すなわち，ドライクリーニングで用いられる有機溶剤は，環境への負荷が大きい。そのため，有機溶剤の使用そのもの，もしくはその使用量について，法的な制限を受けてしまう場合がある。このことから，ドライクリーニング方式の洗浄は，有機溶剤の使用量等を考慮しながら行わなければならず，これにより生じる種々の制約を受けてしまう。【０００４】
このような制約や環境保護への意識の高まりなどもあって，ウェットクリーニング方式の洗浄方法に注目が集まっている。また，ウェットクリーニング方式の洗浄装置を使用して，シャツ等の衣服やマフラー，ネクタイなど（以下，洗浄される対象物を単に「被洗浄物」という）の洗浄が行われることが主流となってきている。【０００５】
ウェットクリーニング方式を採用する洗浄装置としては，ドラム式洗浄装置やパルセータ式洗浄装置が，現在，用いられている。
これらドラム式洗浄装置とパルセータ式洗浄装置を比較すると，それぞれに共通する特徴がある。
すなわち，ドラム式洗浄装置は，ドラム内の高低差を利用した，たたき洗いを主としたドラム式洗浄方法を採用する。一方，パルセータ式の洗浄装置は，パルセータと呼ばれる回転翼による攪拌を利用した，もみ洗いが中心となるパルセータ式洗浄方法を採用する。【０００６】
このようにドラム式洗浄装置およびパルセータ式洗浄装置の間では洗浄方法に違いがある。しかしながら，いずれの洗浄方法も，被洗浄物を回転させて洗浄，脱水を行う点において，共通する特徴がある（特許文献２，３，４）。
【先行技術文献】
【特許文献】
【０００７】
【特許文献１】特開２００７−１９５８６６
【特許文献２】特開２００２−３０６８９３
【特許文献３】特開２００７−０５００５９
【特許文献４】特開２００３−３１１０６３
【発明の概要】
【発明が解決しようとする課題】
【０００８】
現在，ウェットクリーニング方式として用いられているドラム式洗浄方法とパルセータ式洗浄方法では，被洗浄物を回転させて洗浄，脱水を行うという共通する特徴がある。しかしながら，この共通する特徴ゆえに，ドラム式洗浄法とパルセータ式洗浄法では回避できない，いくつかの問題点があった。【０００９】
問題点の一つ目は，被洗浄物の繊維に対するダメージが，少なからず生じてしまうという点である。
回転洗浄においては，被洗浄物が形状を変えながら激しく動くとともに，その回転自体が洗浄効果を向上させることにもつながる。
しかしながら，被洗浄物が形状を変えながら激しく動くことにより，被洗浄物をミクロで見ると，被洗浄物の繊維の形状や配列に変化が起こってしまう。また，被洗浄物が，他の被洗浄物と絡まったりすることもあり，被洗浄物の繊維が傷ついたり伸びたりしてしまう。このように回転洗浄においては，ミクロな繊維の変化が，被洗浄物に蓄積してしまう。結果として，被洗浄物の型崩れやしわ，擦れや伸びなどが生じてしまうこととなる。
加えて，一旦，洗浄が終わった被洗浄物について，洗浄前の繊維の状態に完全に戻ることは無く，ミクロな繊維の変化は蓄積されたままである。そのため，再び被洗浄物を洗浄することにより，新たな洗浄により生じたミクロな変化がさらに蓄積されてしまう。結果として，回転洗浄においては，被洗浄物を繰り返し洗浄することにより，型崩れなどが不可避なものとして生じてしまうこととなる。【００１０】
問題点の二つ目は，色移り（移染）が起きやすい点である。
回転洗浄においては，異なる被洗浄物が濡れた状態で接触することが避けられない。これにより，異なる被洗浄物間で，色移りが生じてしまうことがしばしばである。【００１１】
問題点の三つ目は，洗浄，脱水が難しい被洗浄物が存在する点である。
回転洗浄の場合，回転による遠心力を利用して被洗浄物の繊維の間に水分を浸透させながら洗浄を行い，遠心力を利用して脱水を行う。しかしながら，撥水加工や防水加工された被洗浄物は，水分が浸透しないため洗浄も脱水もすることができない。この場合，被洗浄物の表面に残留した水滴跡などが，シミとなったり，濡れたままの状態が続くことにより，色移りが起きやすい。【００１２】
本発明は，上記問題点に鑑みてなされたものであり，これらの問題点を解決し得る，新たな洗浄方法ならびに洗浄装置の提供を課題とする。
【課題を解決するための手段】
【００１３】
発明者は，鋭意研究の結果，既存の洗浄方法によらない，新たな洗浄方法に着想し，本発明を完成させたものである。【００１４】
発明者は，回転洗浄によらないウェット式の洗浄を前提として，被洗浄物の洗浄と脱水を同時に行うという方法を着想した。しかしながら，洗浄を行うと同時に脱水を行うためには，洗浄液を被洗浄物に接触させると同時に，その洗浄液を回収するという，相反する技術が必要になる。【００１５】
発明者は，この相反する技術を具現化する装置を作製し被洗浄物に適用したところ，新たな課題を発見した。すなわち，洗浄液を回収する手段として吸引手段を用いると，被洗浄物自体が吸引されてしまったり，洗浄器具が被洗浄物に接触してしまう。結果として，被洗浄物の変形やすれなどが生じ，被洗浄物の繊維を痛めてしまうという課題である。【００１６】
発明者は，この新たな課題を克服するために，被洗浄物を固定するための固定手段を新たに着想した。すなわち，この固定手段により，被洗浄物のしわ等を延ばした状態で洗浄を行うとともに，被洗浄物と洗浄装置とが，直接，接触することが無い，もしくは接触しても極力抑えられるようにし，摩擦による繊維の痛みを防止することを発明者は見出し，本発明を完成させたものである。【００１７】
本発明は以下の構成からなる。
本発明の第一の構成は，被洗浄物を，上方および下方，または左側および右側などの，二方向から覆うことにより，被洗浄物を固定するための被洗浄物固定手段と，被洗浄物の洗浄を行う洗浄手段とを備え，前記被洗浄物固定手段において，通水孔を備えた固定具により被洗浄物が固定されており，前記洗浄手段は，被洗浄物に対して近接および離間が可能であり，かつ，流体の噴射機構と回収機構を備えた洗浄器具により，通水孔を備えた固定具を通じて，流体の噴射および回収を被洗浄物に対して行うことにより，被洗浄物の洗浄がなされることを特徴とする洗浄方法である。
本発明の第二の構成は，前記被洗浄物固定手段が，被洗浄物を支持するためのプレートと，前記プレートに支持された被洗浄物を反対方向から覆うことにより前記プレートとの間に被洗浄物を固定するためのカバーとによりなされることを特徴とする第一の構成に記載の洗浄方法である。【００１８】
本発明の第三の構成は，被洗浄物を支持するためのプレートと，前記プレートに支持された被洗浄物を，前記プレートの反対方向から覆うことにより前記プレートとの間に被洗浄物を固定するためのカバーと，前記プレートに支持された被洗浄物を覆う前記カバーに対して近接および離間が可能なノズルと，前記ノズルに流体を供給する流体供給機構と，前記ノズルに供給された流体を回収する流体回収機構を備え，前記カバーは，前記ノズルに供給された流体を表側から裏側に通すための通水孔を備え，前記流体回収機構は，前記カバーの裏側において被洗浄物に接触した流体を前記通水孔を通して前記カバーの表側に吸引し，前記ノズルを通して回収することを特徴とする洗浄装置である。【００１９】
本発明の第四の構成は，前記カバーが，被洗浄物の固定時に前記プレートの外縁を囲む枠と，前記枠体の内側に設けられ，被洗浄物の固定時に前記プレートに対して被洗浄物を弾性的に固定する網とから構成されていることを特徴とする第三の構成に記載の洗浄装置である。【００２０】
本発明の第五の構成は，前記プレートが，被洗浄物に接触した流体を前記被洗浄物の裏側から吸引するための吸引孔を備えたことを特徴とする第三または第四の構成に記載の洗浄装置である。【００２１】
本発明の第六の構成は，前記プレートが，ステンレス鋼により構成されることを特徴とする第三ないし第五の構成に記載の洗浄装置である。
本発明の第七の構成は，前記網が，ポリテトラフルオロエチレンからなることを特徴とする第三から第六の構成に記載の洗浄装置である。【００２２】
本発明の第八の構成は，第三ないし第七の構成の何れかに記載の洗浄装置に用いるための交換用プレートである。
本発明の第九の構成は，第三ないし第七の構成の何れかに記載の洗浄装置に用いるための交換用カバーである。
【発明の効果】
【００２３】
本発明により，従来の回転洗浄の問題点を解決した，ウェット式による新たな洗浄方法ならびに洗浄装置の提供が可能となった。すなわち，本発明の洗浄方法ならびに洗浄装置は，下記に挙げる優れた効果を有し，従来の回転洗浄の問題点を解決するものである。
(1)  回転洗浄と比較して，被洗浄物の繊維に対するダメージを少なくすることができる効果。
(2)  複数の被洗浄物を同時に洗浄することが無いため，被洗浄物間の色移りが生じないという効果。
(3)  回転洗浄と比較して，撥水加工や防水加工がされている被洗浄物に対しても，洗浄，脱水を行うことができるという効果。【００２４】
さらに，本発明の洗浄方法ならびに洗浄装置は，従来，ドライクリーニングで洗浄されていたスーツや高級衣類等に，ウェット洗浄を施すことができるという，新たな価値を創造するものである。
そもそも，ドライクリーニングにおいては，有機溶剤を用いることから，被洗浄物の水溶性の汚れが落ちにくいという問題が不可避であった。本発明の洗浄方法ならびに洗浄装置は，従来，ドライクリーニングしかできなかった被洗浄物に対しても，ウェット式の洗浄を行うことが可能である。このことから，ドライクリーニングしかできなかった被洗浄物の洗浄効果を高めることができるものである。【００２５】
本発明の個々の構成による効果を説明すると，本発明の第一ないし第三の構成によれば，プレートとカバーなどの固定手段により固定された被洗浄物に対して，ノズルなどの洗浄器具をカバー側から当てながら，ウェット洗浄を実施する。洗浄器具は，流体の供給と回収を同時に行いながら，被洗浄物に付着した汚れや脂分の除去等を行う。洗浄器具を当てる位置を変えることで，被洗浄物の任意の箇所もしくは全体に対してウェット洗浄を施すことができる。被洗浄物はプレートとカバーの間に挟まれて固定されているため，従来の回転洗浄の場合に比べて型崩れや伸縮が発生しにくい。そのため，従来，ドライクリーニングが推奨されていたスーツなどの衣類に対しても，ウェット洗浄を施すことが可能になっている。また，従来の回転洗浄では不可能であった，ワイシャツの襟の部分などのピンポイント洗浄にも，対応が可能である。さらには，従来の回転洗浄とは異なり，複数の被洗浄物を同時に洗浄するのではなく，基本的には単独での洗浄となるため，絡みや移染の問題は発生しない。【００２６】
また，本発明の第四の構成によれば，網の有する伸縮性により，被洗浄物にボタンやチャックなどが付属している場合など凹凸がある場合であっても表面形状に倣っての変形が可能になり，カバーと被洗浄物との間の隙間を極小化することができる。これにより，被洗浄物とカバーの密着度が高まり，被洗浄物の型崩れや位置ずれ等を防止することができる。【００２７】
さらに，本発明の第五の構成によれば，ノズルに供給される流体は，被洗浄物に接触した後に同じノズルによって吸引回収されるが，被洗浄物の素材や構造，形状等によっては，表側の洗浄器具から全ての流体を吸引できない場合があり得る。このような場合，被洗浄物の裏側から吸引することで，流体に加わる重力を援用して流体を回収することができる。
【図面の簡単な説明】
【００２８】
【図１】本発明の実施形態である洗浄装置の斜視図
【図２】本発明の実施形態である洗浄装置の右側面図
【図３】本発明の実施形態である洗浄装置の背面図
【図４】カバーの例を示した図
【図５】補助プレート部の例を示した図
【発明を実施するための形態】
【００２９】
本発明の洗浄方法ならびに洗浄装置について，図面を例に挙げて説明するが，当然のことながら，本発明は，例に挙げた記載内容に限定して解釈されるべきものでないことは言うまでもない。
【００３０】
＜＜洗浄方法＞＞
＜洗浄物固定手段＞
本発明の洗浄方法では，被洗浄物を，上方および下方，または左側および右側などの，二方向から覆うことにより，被洗浄物を固定するための被洗浄物固定手段を備える。さらに洗浄物固定手段は，通水孔を備えた固定具により被洗浄物が固定される。
この被洗浄物の固定は，しわ等が生じないよう被洗浄物を固定すればよく，種々の構成ないし方法を採用することができる。例えば，図２に示すように，プレート１０の上に被洗浄物を置き，その上からカバー２０を被せるなどして，被洗浄物を固定すればよい。また，縦方向にプレートを設置して，被洗浄物をプレートに架け，その正面からカバーを当てるなどして，被洗浄物を固定する方法を採用してもよい。
【００３１】
さらには，被洗浄物固定手段においては，二方向から覆われ固定されるうちの少なくとも一方向が，通水孔を備えた固定具により固定される必要がある。これにより，後述する洗浄器具から被洗浄物に対して，流体の噴射および回収が可能となる。加えて，洗浄器具が，直接，被洗浄物に接触することを防ぐことができるため，摩擦による被洗浄物の繊維の痛みを抑えることが可能となる。このような固定具として，例えば，図１に示すような，網を有するカバー２０などが挙げられる。
【００３２】
＜洗浄手段＞
本発明の洗浄方法では，被洗浄物の洗浄を行う洗浄手段を備え，この洗浄手段は，所定の洗浄器具により行われることを特徴とする。すなわち，洗浄器具は，被洗浄物に対して近接および離間が可能であり，かつ，流体の噴射機構と回収機構を備えている。この洗浄器具により，通水孔を備えた固定具を通じて，流体の噴射および回収を被洗浄物に対して行うことにより，被洗浄物の洗浄が行われる。
このような洗浄器具として，詳細は後述するが，図１に示すノズル３０が挙げられる。
【００３３】
上述したように，本発明の洗浄方法は，被洗浄物固定手段と洗浄手段を備えることを特徴とする。以下で説明するとおり，洗浄装置１は，被洗浄物固定手段と洗浄手段，両方を備えた洗浄装置であるが，本発明の洗浄方法は，これに限定する必要はない。すなわち，被洗浄物固定手段と洗浄手段を別々の器具又は装置により，行うことが可能である。このように，被洗浄物の種類や洗浄を行う場所などにより，種々の構成を採用して，本発明の洗浄方法を行うことができる。
【００３４】
＜＜洗浄装置＞＞
洗浄装置の例として，図１の洗浄装置１が挙げられる。この洗浄装置１は，本発明の洗浄方法ないし洗浄装置を具現化したものであり，本発明の最良の実施形態を表すものである。
まず，洗浄装置１の使用方法を説明することにより，各部の役割を説明し，その後，洗浄装置１の各構成の説明を行うこととする。
【００３５】
＜洗浄装置１の使用方法＞
洗浄装置１を用いる使用者（以下，単に「使用者」という）は，まず，被服や毛布などの被洗浄物を，プレート１０に置く。使用者は，図２のように，カバー２０を被洗浄物の上部から覆い，プレート１０との間で被洗浄物にしわ等が生じないように固定する。
【００３６】
被洗浄物を固定した後は，ノズル３０の仕様により洗浄方法が異なる。すなわち，ノズル３０が１種類の流体のみを供給する流体供給機構を備える場合と，２種類以上の流体を供給する流体供給機構を備える場合である。
【００３７】
まず，ノズル３０が１種類の流体のみを供給する流体供給機構を備える場合について説明する。
使用者は，固定された被洗浄物に対してカバーネット２２を通して，汎用の霧吹きやスプレー機（不図示）で洗浄成分を含む流体（以下，洗浄液）を噴射する。この洗浄液の噴射により，被洗浄物に付着した汚れや脂分などを溶解させる。
その後，使用者は，ノズル３０の先端を上方からカバーネット２２を通して被洗浄物に押し当て，被洗浄物の洗浄・仕上げを行う。この押し当てられたノズル３０は，汚れ等が溶解した洗浄液の回収を行うと同時に，加工液を被洗浄物に対して噴射する。この加工液は，通常，柔軟剤や撥水剤，リンス剤，抗菌剤等を含む流体である。カバーネット２２は弾力を持った網状のネットであることから，ノズル３０から噴射された加工液はカバーネット２２を通過して被洗浄物に接触すると同時に，この網を通して，汚れ等が溶解した洗浄液および被洗浄物に接触した加工液が回収される。結果として，被洗浄物に洗浄液や加工液が残りにくい仕組みとなっている。これに加え，本洗浄装置１では，カバー部によって被洗浄物が固定されていることもあって，被洗浄物の縮みが生じにくい仕様となっている。
【００３８】
次にノズル３０が２種類以上の流体を供給する流体供給機構を備える場合について説明する。この場合，本洗浄装置１には，足踏み式の流体切替ボタン（不図示）が備わり，使用者は，適宜，ノズル３０から噴射される流体の種類を切り替えることができる。
この場合，使用者は，まず，ノズル３０へ供給される流体として，洗浄液を選択する。使用者は，この洗浄液が供給されている状態で，ノズル３０を被洗浄物に押しつけ，洗浄液を被洗浄物に接触・回収させることにより，被洗浄物の洗浄を行う。続いて，ノズル３０へ供給される流体として加工液を選択し，同様の作業を行えばよい。
なお，被洗浄物に接触させる流体として，洗浄液と加工液を挙げたが，当然のことながら，流体をこれらに限定する必要はなく，被洗浄物の種類に応じた適切な流体を選択することができる。
【００３９】
ノズル３０について詳細は後述するが，ノズル３０は，先端が被洗浄物に押し当てられ，ノズル開口部３１が塞がれたときに，洗浄液もしくは加工液等の流体が噴射され，被洗浄物に接触するように構成されている。ノズル３０は，ノズル開口部３１が被洗浄物から離れているときには流体が噴射されず，流体の漏れなども生じない仕組みとなっている。使用者は，ノズル３０の先端を被洗浄物に押し付けたり離したり，押しつけながら移動させるなどして，被洗浄物の洗浄等を効率的に行うことができる。これら一連の洗浄操作により，部分的な汚れに対して，その部分だけを重点的に洗浄することも可能である。
【００４０】
使用者は，被洗浄物の袖や裾等の細かな部分については，プレート補助部９０を利用して洗浄を行うことができる。プレート補助部９０は，図５に示すとおり，補助プレート９１，回転式アーム９２，アーム軸９３，テーブル取り付け部９４から構成されている。アーム軸９３を中心として，回転式アーム９２を回転させることで，補助プレート９１を使用者が取扱いしやすい位置に変更することができる。
【００４１】
使用者は，吸引機構を備えた流体回収部７０の，吸引ルートや吸引圧を調整することにより，より効率的に被洗浄物の洗浄，および洗浄装置１の操作を行うことができる。図１では，流体回収部７０には真空ポンプが用いられており，この真空ポンプの圧力を足踏み式スイッチ（不図示）などを使って簡単に調整することができる。さらに，流体回収部７０は，ノズル３０とプレート１０に接続されており（不図示），必要に応じて，これらの吸引ルートを使い分けることができる。
【００４２】
＜洗浄装置１の構成＞
洗浄装置１は，プレート１０およびカバー２０，ノズル３０，流体供給部６０，流体回収部７０を主要な構成とし，これらがテーブル台８０に一体となって備えられている。
【００４３】
プレート１０は，被洗浄物である被服や毛布などが置かれ，これを所定の位置および形状で支持するための台としての機能（支持機能）を有する。この支持機能を有する限りにおいて，プレート１０について特に限定する必要は無く，種々の形状又は素材を用いることができる。また，プレート１０は，図１に示すように横方向に設置されていてもよいし，斜めや鉛直方向に設置して，被洗浄物を支持してもよい。
【００４４】
プレート１０について好ましくは，ステンレス鋼のものを用いることができる。これにより，ノズル３０から噴射された流体の接触によるプレート１０の腐食等を防止することが可能となるため，洗浄装置としての耐久性を向上させる効果を有する。
【００４５】
プレート１０は，テーブル台８０に対して着脱可能な構成とすることが可能であり，使用者は，被洗浄物の形状に合わせたプレートと適宜交換しながら使用することができる。これにより，使用者は，被洗浄物の形状または素材に合わせて被洗浄物を洗浄することが可能となり，より効率的かつ伸び縮み少なく被洗浄物を洗浄することができるという効果を有する。さらには，後述するプレート微細孔１１（不図示）のつまりなどの故障に対しても対応が容易になり，洗浄装置として耐久性を向上させるという効果も有する。
【００４６】
プレート１０は，さらにプレート微細孔１１（不図示）を備えることができる。これにより，ノズル３０から回収できなかった洗浄液等の流体を，プレート微細孔１１を通じて回収することが可能となり，被洗浄物への余分な流体の付着を防ぎ，乾燥を容易にするという効果を有する。
これに加えプレート１０は，テーブル台８０を通して流体回収部７０に接続することができる（不図示）。この流体回収部７０は吸引機構を備えているため，この吸引機構により，プレート微細孔１１を通じた洗浄液等の流体の回収をより効率的に行うことが可能となるという効果を有する。
【００４７】
カバー２０は，プレート１０により支持された被洗浄物を，プレート１０の反対方向（図１では上方）から覆い，両者の間に被洗浄物を固定する機能（固定機能）とともに，ウェット洗浄による伸び縮み等を抑制し被洗浄物の形状を保持する機能（形状保持機能）を有する。この固定機能および形状保持機能を有する限り，カバー２０について特に限定する必要はなく，種々の形状や大きさ，素材のものを用いることができる。これらの固定機能および形状保持機能が発揮されると同時に，ノズル３０が被洗浄物と直接接触することが無い，もしくは接触しても限りなく少ない，という機能を発揮し，被洗浄物の繊維へのダメージを抑制することができる。
図１では，洗浄装置１が，プレート１０全体を覆う大きさのカバー２０を有しているが，これに限定するものではない。例えば，洗浄装置１が２つ以上の複数のカバー部を有し，被服上部と被服下部をそれぞれ覆うなど，複数のカバーで被洗浄物を覆うような構成とすることもできる。
【００４８】
カバー２０は，通水孔２１（不図示）を必須の構成要素とする。図４は，カバー２０が，通水孔２１を有するカバーネット２２，カバー枠２３，取っ手２４から構成されている例である。カバーネット２２のメッシュ状の孔が，通水孔２１として機能している。
通水孔２１は，ノズル３０から噴射等によって供給された流体をカバー２０の表側から裏側に通過させ，被洗浄物に流体を接触させるための役割に加えて，被洗浄物に接触した流体についてカバー２０の裏側から表側に通過させ，ノズル３０から回収できるようにするための役割を有する。これらの機能を有する限り，通水孔２１について特に限定する必要はないが，カバーネット２２の弾力性などを考慮し，被洗浄物の保持機能を損なわない程度の微細孔であることが望ましい。
カバーネット２２は，網状のものを用いており，この網の目が通水孔としての役割を果たしている。カバーネット２２の素材として，好ましくは，ポリテトラフルオロエチレンを用いることができる。これにより，化学薬品を含む流体に対する耐久性が向上するという効果を有する。
【００４９】
カバー２０は，接続部２５，２６によってテーブル台８０に対して固定されている。カバー２０は，取っ手２４をもって手動で上下させることで，接続部２５，２６を中心に可動し，プレート１０の上部を覆うことにより被洗浄物を固定する位置と，プレート１０の上部を開放することにより被洗浄物を設置もしくは取り出しを可能にする位置に変位することができる。カバー２０はテーブル台８０に対して取り付はずしが可能であり，交換可能なプレート１０とともに被洗浄物の種類に合わせた形態のものに容易に交換することができる。これにより，被洗浄物の形状または素材に合わせた固定機能および形状保持機能を担保することができるようになり，より効率的かつ伸び縮み少なく洗浄することができるという効果を有する。さらには，カバーネットの破れや目詰まりなどに容易に対処することができ，洗浄装置として耐久性を向上させるという効果を有する。
【００５０】
ノズル３０は，ノズル開口部３１が塞がれている場合に，流体を一定圧力で噴射等するなどして被洗浄物に洗浄液や加工液等の流体を供給しつつ，これらの流体を回収する機能（噴射・回収機能）を有する。この噴射・回収機能を達成するためのノズル３０の構成として，例えば日本国特許４２４９９９１号に開示されているノズル又はノズルアタッチメントを用いることができる。ノズル３０については，１つのラインから１種類の液体を噴射等する場合に限定されず，複数のラインを合わせて，もしくは切り換えることにより複数種の流体を噴射等する機構を備えることも可能である。例えば，前述の通り，洗浄液を噴射し汚れをとった後に，加工液を噴射し仕上げを行うなどである。この場合，後述する流体供給部６０は，２種類の液体貯留槽を有し，かつ，ノズル３０又は足ふみ切替装置（不図示）等に備えられた切替ボタンにより，供給する流体の種類を切り替える機構を備える必要がある。図１においてノズル３０は，ノズル取っ手４０を通じて取り外し可能なアタッチメントとして構成されており，接続ホース５０を通じて流体供給部６０からの流体供給と，流体回収部７０からの流体回収を行うことができる。
【００５１】
流体供給部６０は，ノズル３０に洗浄液等の流体を供給する機能（流体供給機能）を有する。流体供給部６０は，この流体供給機能を有する限り特に限定する必要はなく，通常用いられる装置を用いることができる。また，後述する流体回収部７０と一体の装置として構成してもよい。なお，流体供給部６０からは，流体供給ライン６１が接続ホース５０等に対して接続されており（不図示），この流体供給ライン６１を通じて，ノズル３０への流体供給を行うことができる。
【００５２】
流体回収部７０は，接続ホース５０を通じてノズル３０と接続されており，ノズル３０により噴射等された流体を吸引によって回収する機能（吸引機能）を有する。流体回収部７０は，この吸引機能を有する限り特に限定する必要はなく，真空ポンプなど流体の吸引回収に通常用いられる装置を用いることができる。
【００５３】
プレート補助部９０は，洗浄装置１に付加的に装着することができる部材であり，図５に示すとおり，補助プレート９１，回転式アーム９２，アーム軸９３，テーブル取り付け部９４から構成されている。補助プレート９１はワイシャツなどの襟や袖など汚れのひどい部分を洗浄するときに使用することができる。
【符号の説明】
【００５４】
１０・・・プレート
２０・・・カバー
３０・・・ノズル
４０・・・ノズル取っ手
５０・・・ホース
６０・・・流体供給部
７０・・・流体回収部
８０・・・テーブル台
９０・・・プレート補助部
【図１】
2013099882.tif 000003
【図２】
2013099882.tif 000004
【図３】
2013099882.tif 000005
【図４】
2013099882.tif 000006
【図５】
2013099882.tif 000007
【国際調査報告】
2013099882.tif 000008
2013099882.tif 000009